(57)【要約】【課題】別部品を使用することなく、不用意にノズル口が開かないようにノズル部の回動をロックでき、しかも使い勝手の優れたトリガー式スプレイヤーを提供する。【解決手段】本発明のトリガー式スプレイヤーＡは、トリガー部を引き込んで回動することにより、ピストン部３を移動させシリンダー部内の液を圧してシリンダー部に連通するノズル部１より液を噴射させるトリガー式スプレイヤーＡであって、ノズル部１とトリガー部５との間でノズル部の回動を防止するロック機能を備えている。【選択図】図１
2015136659.tif 000002
【特許請求の範囲】
【請求項１】
トリガー部を引き込んで回動することにより、ピストン部を移動させシリンダー部内の液を圧してシリンダー部に連通するノズル部より液を噴射させるトリガー式スプレイヤーであって、
ノズル部とトリガー部との間でノズル部の回動を防止するロック機能を備えていることを特徴とするトリガー式スプレイヤー。
【請求項２】
トリガー部には、受け部が設けられており、ノズル部には突起を有する爪部が設けられており、該突起が、受け部に嵌め込み可能となっていることを特徴とする請求項１記載のトリガー式スプレイヤー。
【請求項３】
爪部がノズル部の一部にスリットを形成することによりヒンジ部を介して押し下げ可能となっていることを特徴とする請求項２記載のトリガー式スプレイヤー。
【請求項４】
ノズル部は四角筒であって、対向する面に各々受け部が設けられていることを特徴とする請求項２記載のトリガー式スプレイヤー。
【請求項５】
トリガー式スプレイヤーが、ノズル部と該ノズル部に取付けられたノズルベース部と該ノズルベース部に取付けられたピストン部と該ピストン部を収納するシリンダー部と該シリンダー部と一体化したボディ部と、該ボディ部に取付けられたカバー部と、ボディ部に枢着されたトリガー部とを備えたことを特徴とするトリガー式スプレイヤー。
【請求項６】
トリガー部とノズルベース部とが作用結合部を介して一体化されていることを特徴とする請求項５記載のトリガー式スプレイヤー。
【発明の詳細な説明】
【技術分野】
【０００１】
本発明は、トリガー式スプレイヤーに関し、より詳しくは、不用意にノズル部が回動しないロック機能を有するトリガー式スプレイヤーに関する。
【背景技術】
【０００２】
容器に収容された液体を所望の位置に吹き付ける装置として、従来、トリガー式スプレイヤーが知られている。
かかるトリガー式スプレイヤーは、トリガーを回動することによって、内蔵されたポンプの加圧、減圧による圧力変化を利用して液体を噴射させる装置である。
【０００３】
この場合、ノズル部の構造としては、回動させてノズル口を開き噴射させ、不使用時は回動させてノズル口を閉じるようになっている。
このようにトリガー式スプレイヤーにおいて、ノズル部は回動させてノズル口の開閉を行うものであるため、子供等が不用意にノズル部を回動させてノズル口を開きトリガー部を引き込んで、突然、液を噴射するような事態が生じる。
このようなことを避けるため、ノズル部の回動をロックする機能を備えたトリガー式スプレイヤーが開発されている。
【０００４】
いわゆるチャイルドレジスタント機能を有するもので安全性を保証するトリガー式スプレイヤーとして有用視されている。
このチャイルドレジスタント機能を備えたトリガー式スプレイヤーとしては、例えば、ノズル部自体でロックする機構が提供されている（特許文献１参照）。
しかし、これはノズル部の内部構造が複雑になる欠点がある。
【０００５】
一方、ノズル部とは別体の独立した固定具を使用するものも提供されている（特許文献２参照）。
これはノズル部とトリガー部との間に独立した部品である操作レバーを介在させたもので、噴射停止位置ではトリガーの操作ができないような機構となっている。
つまり、操作レバーの一部である鉤部が、トリガーの背後に回り込んで噴射停止位置となりトリガーの操作が阻止されるものである。
しかし、別部品であるノズル固定具を用意しなければならず、その分、部品点数も多くなり組み付け工数としても負担が大きい。
また操作中に使用者の指に操作レバーが引っ掛かることがあり、使い勝手としても必ずしも満足できるものではない。
そのため、別部品を使わずにノズル部の回動を阻止でき噴射停止状態にすることが、望まれていた。
【先行技術文献】
【特許文献】
【０００６】
【特許文献１】特開２００９−６２８８号公報
【特許文献２】特開２００９−１６０５７３号公報
【発明の概要】
【発明が解決しようとする課題】
【０００７】
本発明は上記事情に鑑みてなされたものであり、別部品を使用することなく、不用意にノズル口が開かないようにノズル部の回動をロックでき、しかも使い勝手の優れたトリガー式スプレイヤーを提供することを目的とする。
【課題を解決するための手段】
【０００８】
本発明者は、上記課題を解決するため鋭意検討したところ、少なくともノズル部の側面に工夫を加えることで上記課題を解決し得ることを見出し、本発明を完成するに至った。
【０００９】
すなわち、本発明は、（１）、トリガー部を引き込んで回動することにより、ピストン部３を移動させシリンダー部内の液を圧してシリンダー部に連通するノズル部１より液を噴射させるトリガー式スプレイヤーＡであって、ノズル部１とトリガー部５との間でノズル部の回動を防止するロック機能を備えているトリガー式スプレイヤーＡに存する。
【００１０】
また、本発明は、（２）、トリガー部には、受け部５１が設けられており、ノズル部１には突起を有する爪部１１が設けられており、該突起が、受け部５１に嵌め込み可能となっている上記（１）記載のトリガー式スプレイヤーＡに存する。
【００１１】
また、本発明は、（３）、爪部１１がノズル部１の一部にスリットＳを形成することによりヒンジ部を介して押し下げ可能となっている上記（２）記載のトリガー式スプレイヤーＡに存する。
【００１２】
また、本発明は、（４）、ノズル部１は四角筒であって、対向する面に各々受け部５１が設けられている上記（２）記載のトリガー式スプレイヤーＡに存する。
【００１３】
また、本発明は、（５）、トリガー式スプレイヤーＡが、ノズル部１と該ノズル部１に取付けられたノズルベース部２と該ノズルベース部２に取付けられたピストン部３と該ピストン部３を収納するシリンダー部と該シリンダー部と一体化したボディ部４と、該ボディ部４に取付けられたカバー部と、ボディ部４に枢着されたトリガー部５とを備えたトリガー式スプレイヤーＡに存する。
【００１４】
また、本発明は、（６）、トリガー部５とノズルベース部２とが作用結合部２１を介して一体化されているトリガー式スプレイヤーＡに存する。
【００１５】
なお、本発明の目的に沿ったものであれば上記発明を適宜組み合わせた構成も採用可能である。
【発明の効果】
【００１６】
トリガー部５を引き込んで回動することにより、ピストン部３を移動させシリンダー部内の液を圧してシリンダー部に連通するノズル部１より液を噴射させるトリガー式スプレイヤーＡであって、ノズル部１とトリガー部との間でノズル部の回動を防止するロック機能を備えているので、子供等がノズル部１を不用意に回動させて噴射可能なノズル口開状態にすることがない。
また、噴射するには２段の操作を要するので、安全である。
ノズル部１とトリガー部５との間でロック機能が働くので、ボディ部４がノズル部１に接近した位置になくても適用可能である。
従来のようにロックとアンロックのために別体の部品を使わないことから、部品点数が少なく組み付けが有利である。
【００１７】
トリガー部５には、受け部５１が設けられており、ノズル部１には突起１１Ｃを有する爪部１１が設けられており、該突起１１Ｃが、受け部５１に嵌め込み可能となっているので、両者間でロックが確実に行われ、ロック構造としても簡単である。
【００１８】
爪部１１がノズル部１の一部にスリットＳを形成することにより、ヒンジ部１１Ａを介して指先で簡単に爪部１１を押し下げることができる。
【００１９】
ノズル部１は四角筒であって、対向する面に各々受け部５１が設けられていることにより、９０度のノズル部１の回動で、ノズル口開状態とノズル口閉状態とが相互に切り替わる。
【００２０】
トリガー式スプレイヤーＡが、ノズル部１と該ノズル部１に取付けられたノズルベース部２と該ノズルベース部２に取付けられたピストン部３とピストン部３を収納するシリンダー部４１と該シリンダー部４１と一体化したボディ部４と、該ボディ部４に取付けられたカバー部６と、ボディ部４に枢着されたトリガー部５とを備えているので、トリガー式スプレイヤーＡとしては構造が簡単である。
【００２１】
トリガー部５とノズルベース部２とが作用結合部２１を介して一体化されているので、この作用結合部２１が変形し、トリガー部５の動きがピストン部３の直線状の動きとして円滑に且つ効率よく伝わる。
トリガー部５とノズルベース部２とが一体化されているので、組み付け時の位置決めが不要となる。
また、部品点数が少なくなり、組み付けが容易となる。
【図面の簡単な説明】
【００２２】
【図１】図１は、本発明に係るトリガー式スプレイヤーの一実施形態を示す斜視図である。
【図２】図２は、本実施形態に係るトリガー式スプレイヤーのトリガー部を引く前の状態を示す部分断面図である。
【図３】図３は、本実施形態に係るトリガー式スプレイヤーのトリガー部を引いた後の状態を示す部分断面図である。
【図４】図４は、本実施形態におけるロック機能を説明するためのノズル部を示す図である。
【図５】図５は、本実施形態におけるロック機能を説明するためのトリガー部を示す図である。
【図６】図６は、本実施形態のノズル部とトリガー部との間のアンロックへの操作を説明する図であり、上は側面図、及び下はＫ−Ｋ断面図を示す。
【図７】図７は、本実施形態のノズル部とトリガー部との間のロックへの操作を説明する図であり、上は側面図、及び下は一部断面図を示す。
【図８】図８は、トリガー部とノズルベース部とが作用結合部を介して一体化された状態を示す正面図である。
【図９】図９は、トリガー部とノズルベース部とが作用結合部を介して一体化された状態を示す一部断面図である。
【発明を実施するための形態】
【００２３】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２４】
図１は、本発明に係るトリガー式スプレイヤーＡの一実施形態を示す斜視図である。
図２は、本実施形態に係るトリガー式スプレイヤーＡのトリガーを引く前の状態を示す部分断面図である。
図３は、本実施形態に係るトリガー式スプレイヤーＡのトリガーを引いた後の状態を示す部分断面図である。
【００２５】
図に示すように、本発明のトリガー式スプレイヤーＡは、トリガー部５を引き込んで回動することにより、ピストン部３を移動させシリンダー部内の液を圧してシリンダー部４１に連通しているノズル部１より液を噴射させるものである。
しかも、チャイルドレジスタント機能を有するもので安全性が確保されており極めて有用である。
【００２６】
ノズル部１はノズルベース部２に回動可能に取り付けられており、該ノズル部１を回すことにより、ノズル部１とノズルベース部２との間に形成されている通路の一部を開放又は閉鎖し、ノズル口１２を開閉することができる。
後述するように、ノズル口閉状態から９０度、ノズル部１を回動するとノズル口開状態となり、更に９０度、回転すると、元のノズル口閉状態に戻る。
通常、トリガー式スプレイヤーＡにおいては、使用しない時は、常にノズル口閉状態にあることが好ましいが、例えば、子供等が遊びの最中、不用意にノズル部１を回動してしまって、ノズル口開状態となることがある。
そのため突然、液が外部に漏れ出すことがあり、更に、またこの状態でトリガー部５を引き込んで回動させると液が噴射されてしまう。
【００２７】
このような事態を回避するために、本発明では、不用意にノズル部１が回動しないように、ノズル部１とトリガー部との間でノズル部の回動を防止するロック機能を備えている。
ノズル部１とトリガー部５との間に作用する特有のロック機能であり２段の操作を行わなければノズル口開状態とならない（チャイルドレジスタント機能）。
この点が本発明の主なる特徴である。
【００２８】
次にロック機能について以下に更に詳しく述べる。
図４は本実施形態におけるロック機能を説明するためのノズル部１を示す図である。
ノズル部１は断面矩形に形成され四角筒であって上下左右に４つの側面を有し、その対向する面には（図でいう上下面には）各々爪部１１が設けられている。
この爪部１１の両側にはスリットＳが形成されており、基部であるヒンジ部１１Ｂを介してノズル部本体に連結している。
両側にスリットＳがあるためにノズル部本体に対してヒンジ部１１Ｂを起点に弾圧的に下方に押し込むことが可能である。
【００２９】
また爪部１１の上面の一部が傾斜して傾斜面１１Ａを形成しており、後方には（噴射方向とは逆方向）には、突起１１Ｃを有する。
この傾斜面１１Ａに△等の記号を付与しておくことにより、爪部１１を押す位置が視認し易くなっている。
爪部１１の傾斜面１１Ａは傾斜しているので、指先で押し下げる操作が極めて容易におこなえる。
爪部１１の傾斜面１１Ａを押し込むと、下方に移動するので、この作用によりノズル部１はトリガー部５に対するロックとアンロックを行うことができる。
【００３０】
図５は、本実施形態におけるロック機能を説明するためのトリガー部５を示す図である。
トリガー部５には、その上前方に前記爪部１１の突起１１Ｃが嵌り込むための受け部５１が形成されている。
受け部５１は２つの突部とその間の空間よりなり、凹状に形成されており、後述するように、爪部１１の突起１１Ｃが嵌り込むことができる。
【００３１】
次にロックとアンロックの操作を説明する。
図６（Ａ），（Ｂ）は、本実施形態のノズル部１とトリガー部との間のアンロックへの操作を説明する図であり、上は側面図、及び下は一部断面図（Ｋ−Ｋ，Ｏ−Ｏ）を示す。
【００３２】
図７（Ａ），（Ｂ）は、本実施形態のノズル部１とトリガー部との間のロックへの操作を説明する図であり、上は側面図、及び下は一部断面図（Ｉ−Ｉ，Ｊ−Ｊ）を示す。
【００３３】
まず、ノズル部１は、図６（Ａ）に示すように、ノズル口閉状態、すなわち使用しない状態にあるとする。
この時は爪部１１の突起１１Ｃがトリガー部５の受け部５１に嵌り込んでおりロック状態にある。
この状態では、ノズル部１を無理に回動しようとしてもロックが掛かっており、これ以上動かない。
使用するためにはノズル部１をノズル口開状態にしなければならない。
そのために、ノズル部１を指で摘んで爪部１１を指先で押し下げる（図６では上下方向）。
すると、爪部１１の突起１１Ｃはトリガー部５の受け部５１には嵌り込んだ状態（ロック状態）から離脱し、一旦、図６（Ｂ）に示すように、アンロック状態になる。
【００３４】
このようにアンロック状態になったら、ノズル部１を回して９０度回動すると、図７（Ａ）に示すように、ノズル口開状態となる。
この状態では、トリガー部を引き込んで液をノズル口１２から噴射することができる。
使用が終了した場合は、今度は、ノズル部１を指で摘んでノズル口１２開状態から９０度回動すると、図６（Ａ）に示すように、元のノズル口閉状態に戻る。
【００３５】
ここでノズル口閉状態に戻る際、爪部１１の後方の突起１１Ｃは、図７（Ｂ）に示すように、トリガー部５の受け部５１の上を乗り越えて移動し、受け部５１に嵌まり込む。
このように爪部１１の突起１１Ｃが受け部５１を乗り越えるためには、その分、力を強く加えることとなるが、爪部１１を指先で押し下げて、ノズル部１の突起１１Ｃとトリガー部５の受け部５１とが一致したところで指を離して突起１１Ｃを受け部５１に嵌まり込ませても当然よい。
一旦、爪部１１の突起１１Ｃがトリガー部５の受け部５１に嵌まり込むと、ノズル部１をどの方向に回動させようとしてもこれ以上動かない。
これでノズル部１とトリガー部５の間は、ロック状態となり、ノズル口閉状態が確実に維持される。
その後、またノズル口開状態にするには、爪部１１を押し下げて、上述したことを繰り返せばよい。
【００３６】
以上説明したように、ノズル口閉状態からノズル口開状態にするには、爪部１１を押し下げてロック状態からアンロック状態にする操作（操作１）をまず行い、その後、ノズル部１を回動させてノズル口開状態とする操作（操作２）を行う。
詳しくは、順次、ノズル口閉状態（ロック状態）→アンロック状態（操作１）→９０度回動→ノズル口開状態（操作２）→トリガー部の引き込み→液噴射→９０度回動→ノズル口閉状態となる。
このように操作１と操作２の２つのアクションを必要とするため、不用意にノズル口開状態となり子供等が液を誤って噴射してしまうような事態を回避することができるのである。
【００３７】
本発明のトリガー式スプレイヤーＡは、このような簡単な構造で安全性を確保できるチャイルドレジスタント機能を有するため、子供を加えた老若男女のすべての者を対象に安心して使用することができ、しかも操作性も優れている。
【００３８】
次に、このようなチャイルドレジスタント機能を備えたトリガー式スプレイヤーＡの具体例を示す。
本発明のトリガー式スプレイヤーＡは、ノズル部１、ノズルベース部２、ピストン部３、シリンダー部４１と一体化したボディ部４、トリガー部５、カバー部６、とを備える。
また、トリガー部とボディ部４の間にはトリガー部を付勢するためのバネ体７が設けられている。
またボディ部４には、ＦバルブＦＶが取り付けられており、ボディ部４の下方にはキャップＢに対する掛合部が設けられている。
したがって、ボディ部４は、キャップＢに掛合された状態で、図示しない容器に取り付けられ、トリガー式スプレイヤーＡの機能を利用して容器内の液をノズル口１２から噴射できる。
【００３９】
ここで、ノズル部１にはノズルベース部２が嵌まり込むことにより取付けられており、またノズルベース部２にはピストン部３が嵌まり込むことにより取付けられている。
この場合、ノズルベース部２とピストン部３との間にＳバルブＳＶが配設される。
シリンダー部４１はボディ部４と一体に形成されており、すなわちボディ部４の一部がシリンダー部４１となっている。
このシリンダー部４１にピストン部３が収納されており、該ピストン部３はシリンダー部内を摺動する。
一方、トリガー部５とノズルベース部２とは作用結合部２１を介して一体化されている。
【００４０】
図８は、トリガー部とノズルベース部２とが作用結合部２１を介して一体化された状態を示す正面図である。
【００４１】
図９は、トリガー部５とノズルベース部２とが作用結合部２１を介して一体化された状態を示す一部断面図である。
この作用結合部２１は、円柱状でありノズルベース部２の側面から外方に突出しトリガー部５に結合しているものである。
トリガー部５を回動させると、この作用結合部２１が捻れ等により変形しトリガー部５の動きがノズルベース部２を介してピストン部３の直線状の動きとして円滑に且つ効率よく伝わる。
この捻れを容易にするため作用結合部２１には、Ｖ字状横溝２１Ａが設けられていることが好ましい。
またトリガー部５とノズルベース部２とが一体化されるので、部品点数が少なくなり、組み付けが容易となる。
また組み付け時の両者の位置決めが不要となる。
【００４２】
一方、トリガー部５の上端付近には通孔５２が形成されており、ボディ部４は、その両側に図示しない支軸が突出している。
従って、トリガー部５の通孔５２にボディ部４の支軸を嵌め込むことで、トリガー部５はボディ部４に枢着されたことになり、支軸を支点として回動可能となる。
使用時は、上述したような操作を２回行って、ノズル口を開いた後、トリガー部５を引き込んで回動することにより、ピストン部３を移動させシリンダー部内の液を圧してシリンダー部４１に連通するノズル口１２より液を噴射させることができる。
トリガー部５の動きも極めてスムーズに行える。
【００４３】
以上、本発明の実施形態について説明したが、本発明は上記実施形態に限定されるものではない。
本実施形態に係るトリガー式スプレイヤーＡにおいては、爪部１１が矩形のノズル部１の対向する２つの面に各々設けられているが、一つの面に設けられていてもよい。
この場合は、ロック状態から９０度回して、アンロック状態となり、更に９０度回してアンロック状態、更に９０度回してもアンロック状態であり、更に９０度回すと、ここでロック状態となる。
すなわち、最初のロック状態から３６０度回して、初めて、また元のロック状態となる。
また、爪部１１の突起１１Ｃの代わりに受け部を設け、他方のトリガー部５の受け部５１の代わりに突起を設けて、嵌合するようにしてもよい。
また爪部１１の傾斜面１１Ａの滑り止めの細かい凹凸を付与してもよい。
【産業上の利用可能性】
【００４４】
トリガー部を引き込んで回動することにより、ピストン部３を移動させシリンダー部内の液を圧してシリンダー部４１に連通するノズル部１より液を噴射させるトリガー式スプレイヤーＡであり、ノズル部１とトリガー部との間でノズル部の回動を防止するロック機能を備えているので、子供等がノズル部１を不用意に回動させて噴射するようなことがない。
また、２段の操作でノズル開状態となるので極めて安全である。
ノズル部１はトリガー部５との間でロック、アンロックの切り替え操作が行われるので、ボディ部４がノズル部１に接近した位置にない構造であっても適用可能である。
従来のようにロックとアンロックの間に別体の部品を使わないので、部品点数が少なくない組み付けが有利である。
【符号の説明】
【００４５】
１・・・ノズル部
１１・・・爪部
１１Ａ・・・傾斜面
１１Ｂ・・・ヒンジ部
１１Ｃ・・・突起
１２・・・ノズル口
２・・・ノズルベース部
２１・・・作用結合部
２１Ａ・・・Ｖ字横溝
３・・・ピストン部
４・・・ボディ部
４１・・・シリンダー部
５・・・トリガー部
５１・・・受け部
５２・・・通孔
６・・・カバー部
７・・・バネ体
８・・・チューブ
Ａ・・・トリガー式スプレイヤー
Ｂ・・・キャップ
ＦＶ・・・Ｆバルブ
ＳＶ・・・Ｓバルブ
Ｓ・・・スリット
【図１】
2015136659.tif 000003
【図２】
2015136659.tif 000004
【図３】
2015136659.tif 000005
【図４】
2015136659.tif 000006
【図５】
2015136659.tif 000007
【図６】
2015136659.tif 000008
【図７】
2015136659.tif 000009
【図８】
2015136659.tif 000010
【図９】
2015136659.tif 000011